(57)【特許請求の範囲】
【請求項１】
前端開口のヘッドケーシング(1)内に、前側から順に、ニクロムヒータ線(43a)をヒータ基板(43)の周縁でヘアピン状に屈曲させた板状の赤外線ヒータ(4)と、補助ヒータ(7)と、ファン(8)とを配設した赤外線治療器であって、
前記補助ヒータ(7)を、ヒータ基板(71)にヒータ線(7a)を巻回して構成するとともに、前記赤外線ヒータ(4)と補助ヒータ(7)との間に、前記赤外線ヒータ(4)よりも小径の邪魔板(6)を配設して、前記ファン(8)からの風が赤外線ヒータ(4)の背側中央部に直接当たらず、前記ニクロムヒータ線(43a)がヘアピン状に屈曲した周縁側に流れるようにしたことを特徴とする赤外線治療器。
【請求項２】
前記邪魔板(6)の周縁近傍に通風部(61)を設け、邪魔板(6)と赤外線ヒータ(4)とで仕切られる空間内に負圧が発生することを防止して、ファン(8)からの風を赤外線ヒータ(4)の周縁に誘導可能としたことを特徴とする請求項１記載の赤外線治療器。
【請求項３】
前記邪魔板(6)に温度過昇防止手段を取付けたことを特徴とする請求項１または２に記載の赤外線治療器。
【請求項４】
前記邪魔板(6)の補助ヒータ(7) 側をなす面に配線保持具(67)を取付けたことを特徴とする請求項１〜３のいずれかに記載の赤外線治療器。
【発明の詳細な説明】
【０００１】
【発明の属する技術分野】
本発明は、温熱効果で筋肉のこりをほぐすことのできる赤外線治療器に関するものである。
【０００２】
【従来の技術】
従来、温熱効果で筋肉のこりをほぐすことのできる赤外線治療器として、家庭内で簡易に使用できるようにしたものがある。
【０００３】
その一般的な構造としては、一端開口に形成したヘッドケーシング内に、赤外線、特に遠赤外線を放射する赤外線ヒータを収容配設したものが知られており、また、かかる赤外線治療器の中には、赤外線ヒータからの放射熱だけでは使用感に物足りなさがあるので、同赤外線ヒータの熱を患部に強制的に送るために赤外線ヒータの後方にファンを設けたものがある。
【０００４】
【発明が解決しようとする課題】
ところが、上記したファンを設けた赤外線治療器は、赤外線ヒータの温度が十分上昇しているときは温風が患部に当たることにより使用感は向上するものの、赤外線ヒータは熱容量が大きいために立ち上がりが悪く、作動開始から十分に昇温するまでに時間がかかるので、使用開始初期にはファンからの風が冷風となって患部に当たることになり、かえって逆効果となってしまう。
【０００５】
そこで、ファンと赤外線ヒータとの間に、立ち上がりのよい補助ヒータを設けることが考えられたが、これは、使用開始初期には補助ヒータによる温風が即座に患部に当たるので使用感は向上するが、赤外線ヒータが十分に昇温した後は、赤外線ヒータの方が補助ヒータよりも高温となるので、逆に、温風が赤外線ヒータを冷却する作用としてはたらき、十分な遠赤外線の放射を妨げるおそれがあった。
【０００６】
本発明は、補助ヒータを具備して使用感を向上させながら、かつ、上記した課題を解決することができる赤外線治療器を提供することを目的としている。
【０００７】
【課題を解決するための手段】
上記課題を解決するために、本発明では、前端開口のヘッドケーシング(1)内に、前側から順に、ニクロムヒータ線をヒータ基板の周縁でヘアピン状に屈曲させた板状の赤外線ヒータと、補助ヒータと、ファンとを配設した赤外線治療器であって、前記補助ヒータを、ヒータ基板にヒータ線を巻回して構成するとともに、前記赤外線ヒータと補助ヒータとの間に、前記赤外線ヒータよりも小径の邪魔板を配設して、前記ファンからの風が赤外線ヒータの背側中央部に直接当たらず、前記ニクロムヒータ線がヘアピン状に屈曲した周縁側に流れるようにした。
【０００８】
【発明の実施の形態】
本発明に係る赤外線治療器は、本発明では、前端開口のヘッドケーシング(1)内に、前側から順に、ニクロムヒータ線をヒータ基板の周縁でヘアピン状に屈曲させた板状の赤外線ヒータと、補助ヒータと、ファンとを配設した赤外線治療器であって、前記補助ヒータを、ヒータ基板にヒータ線を巻回して構成するとともに、前記赤外線ヒータと補助ヒータとの間に、前記赤外線ヒータよりも小径の邪魔板を配設して、前記ファンからの風が赤外線ヒータの背側中央部に直接当たらず、前記ニクロムヒータ線がヘアピン状に屈曲した周縁側に流れるようにしたものである。
【０００９】
このように邪魔板を配設したことにより、ヒータ線の存在しない補助ヒータの中央部を流れる冷風は直接赤外線ヒータに当たることがないので赤外線ヒータと補助ヒータとの配設間隔も短くできるので、ヘッドケーシング内のレイアウトをコンパクト化することができ、全体の小型化を図ることができる。
【００１０】
しかも、熱容量が大きく立ち上がりの悪い赤外線ヒータが十分昇温するまでは立ち上がりのよい補助ヒータの熱による温風を患部に送風することができるので使用感を向上させ、さらに、赤外線ヒータ４ニクロムヒータ線はヒータ基板の周縁でヘアピン状に屈曲しているので、急激な温度変化が頻繁であれば、膨張収縮の繰り返しにより断線するおそれがあるが、ここでは、赤外線ヒータの周縁部分の温度上昇が常に抑制されるので、上記した断線のおそれを可及的に防止しながら、かつ、十分な赤外線の放射が可能となる。
【００１１】
なお、赤外線ヒータとしては、ヒータ基板を一対のマイカ板間に挟持したものを、ステンレスやアルミニウム等の金属板にセラミックスを塗布焼成した赤外線プレートと、取付軸を設けたバックプレートとの間に挟持させた構造の面状ヒータとすることができ、補助ヒータとしては、通常のコイルヒータを好適に用いることができる。
【００１２】
上記邪魔板を配設するためには、前記ヘッドケーシングに、赤外線ヒータを取付けるための環状固定板を配設し、同環状固定板に邪魔板を取付ける構成とするとよい。
【００１３】
かかる環状固定板は、赤外線ヒータの取付軸を固着するための支持片を中心に向けて突設したものとし、邪魔板は、同環状固定板よりも一回り小径に形成して、同邪魔板を前記支持片に共締めして取付けるものとする。かかる構成により、環状の開口部分の大部分を塞ぎ、ファンからの風、特に、ヒータ線の存在しない補助ヒータの中央部分を通る冷風が赤外線ヒータの背側中央部に直接当たることがなく、赤外線ヒータが冷却されることを防止できる。
【００１４】
また、本発明では、前記邪魔板の周縁近傍に通風部を設けることにより、邪魔板と赤外線ヒータとで仕切られる空間内に負圧が発生することを防止して、ファンからの風を赤外線ヒータの周縁に誘導可能としている。
【００１５】
すなわち、ファンからの風は、環状固定板の内周縁と邪魔板の外周縁との間に形成される間隙を通って赤外線ヒータの周縁に向かうことになるが、邪魔板を設けただけでは、邪魔板と赤外線ヒータとで仕切られる空間内に負圧が発生し、風が中央部方向に引き込まれて乱流を発生して、昇温した赤外線ヒータの中央部を冷却してしまうおそれがあるが、上記したように通風部を設けたことにより、前記間隙を通る風は円滑に赤外線ヒータの周縁に向かうことになるので、赤外線ヒータが十分昇温した後に、同赤外線ヒータを冷却してしまう不具合を生じることがなく、前記作用効果をより確実なものとすることができる。
【００１６】
また、本発明では、前記邪魔板に温度過昇防止手段を取付けている。なお、温度過昇防止手段としては、温度ヒューズが好適に用いられ、取付位置としては、邪魔板の表面でも裏面でもいずれでもよいが、面中央に位置するように取付けることが好ましい。
【００１７】
かかる構成とすれば、作動中の赤外線治療器がいかなる姿勢で放置されようとも、昇温した邪魔板の熱が温度過昇防止手段に伝わり設定温度で確実に作動するので火災などの事故を防止することができる。
【００１８】
さらに、本発明では、前記邪魔板の補助ヒータ側をなす面に配線保持具を取付けている。そして、赤外線ヒータ側と補助ヒータ側とを接続する複数の配線を邪魔板の裏面で交差させ、その交差部分に配線保持具を、赤外線治療器の組付軸線に対して直交するように取付けて配線を束ねている。
【００１９】
したがって、配線を比較的長めに取付けて製造行程における配線接続作業を容易に行えるとともに、組付時には、配線が後方へ撓まないので補助ヒータと接触して過熱し焼損することを防止することができる。
【００２０】
【実施例】
以下、添付図に示す実施例に基づいて、本発明を具体的に説明する。
【００２１】
本実施例に係る赤外線治療器Ａは、図１に示すように、ヘッドケーシング１に把持部２を取付けたハンディタイプの治療器本体A1を、スタンド３に保持可能に構成している。Ｃは把持部２の下端から伸延する電源コード、30はスタンド３に突設した支持用筒部、31は同支持用筒部30に形成したスリットであり、支持用筒部30に把持部２を挿通して載置する際に、前記電源コードＣを逃がすようにしている。
【００２２】
ヘッドケーシング１は、図２及び図３に示すように、一対の半割りケーシング1b,1b を接合したもので、中央部から前端部にかけて漸次拡径した前後端開口の筒状に形成されており、前端開口部12及び後端開口部13には蜘蛛の巣状の前側カバー体14、メッシュ状の後側カバー体15をそれぞれ装着している。15a は後側カバー体15を押さえるためのリング、16は前側カバー体14を具備し、ヘッドケーシング１の前端開口部12に着脱自在に取付けたキャップである。
【００２３】
また、ヘッドケーシング１の内部には、図２及び図３に示すように、前側から順に、赤外線を放射するための赤外線ヒータ４、同ヒータ４を囲繞する截頭椀状の反射板５、通電後直ちに発熱可能とした補助ヒータ７、前端開口部12から患部に向けて温風を送るためのファン８をそれぞれ配設している。80は筒状に形成したファンケース、81はファン駆動軸、82は同ファン駆動軸81と連動連結したファンモータである。
【００２４】
なお、本実施例では、ファンケーシング１の後端開口部13から空気を取入て前端開口部12より送風するようにしているが、ファンケーシング１の側面に空気取入口を設けて送風するようにしてもよい。また、ファン８については、本実施例では軸流ファンとしているがシロッコファンなどを使用することもできる。
【００２５】
赤外線ヒータ４は、図３に示すように、取付軸であるねじ体41a を突設した円形のバックプレート41に、ステンレスやアルミニウム等の金属板にセラミックスを塗布焼成した円形の赤外線プレート40を取付けて構成されており、同赤外線プレート40とバックプレート41との間に、マイカ板42,42 により挟持されたヒータ基板43を介設している。40a は赤外線プレート40の周縁に形成してバックプレート41への取付片、41b は取付用ナット、43a はニクロムヒータ線である。
【００２６】
また、赤外線プレート40は、図２に示すように、赤外線放射方向に向けて前面を凹状に湾曲形成して、遠赤外線を患部に集中させて治療効果をより良好にしている。
【００２７】
上記赤外線ヒータ４は、ステンレスやアルミニウム等の金属板を截頭椀状に形成した反射板５により囲繞されており、同反射板５は、先端周縁を上記したキャップ16と前端開口部12との間に挟着されている。
【００２８】
なお、赤外線ヒータ４としては、上記構成におけるヒータ基板43及びニクロムヒータ線43a のみで構成することもでき、これに赤外線放射体としての粉抹、例えば、珪酸塩を主材として焼結し、粉砕して得られたものをバインダーを介しての吹付けやディッピング等の方法で被覆したものとしてもよい。
【００２９】
補助ヒータ７は、通電直後から発熱し、赤外線ヒータ４よりは熱容量を小さくした剥き出しのコイル状のヒータ線7aを用いている。
【００３０】
そして、図２及び図３に示すように、二枚の基板を断面視十字状に組み合わせて構成したヒータ基板71にヒータ線7aを巻回し、前記赤外線ヒータ４よりも小径とした金属性の筒状の遮熱ケーシング70で囲繞し、補助ヒータ７の熱が直接ヘッドケーシング１に伝わらないようにしている。なお、ヒータ線7aはコイル状でなく、帯状に形成したものであってもよい。
【００３１】
また、前記ヒータ基板71の中央部分に設けたモータ収納部71a にファン８のファンモータ82の後半部を収納配設するとともに、前半部をファンケース80の中心部に設けたモータ保持筒80a で保持する構成としている。なお、80b はモータ保持筒支持板である。
【００３２】
かかる構成により、補助ヒータ７とファン８とが連設されて同補助ヒータ７とファン８との配設間隔を可及的に短くすることができ、ヘッドケーシング１内のレイアウトのコンパクト化が図れるので、赤外線治療器Ａを小型化することができる。なお、ヒータ基板71は必ずしも十字状に構成する必要はなく、ファンモータ82を収納するモータ収納部71a が形成されるものであればその形状は限定するものではない。
【００３３】
また、図２中、Ｒは電圧ドロップ用抵抗であり、一般に把持部２内に配設されているが、ここではファン８の下流側に設けることにより、把持部２が加熱されることを防止している。
【００３４】
このように、本実施例に係る赤外線治療器Ａは、補助ヒータ７とファン８を設けているので、赤外線治療器Ａの立上直後から温風を患部に送風可能となり、患部を即座に温め、しかも、治療中の間、絶えず温風を患部に当てることできるので、使用感を向上させることができる。
【００３５】
また、ヘッドケーシング１に連設した把持部２は、図２に示すように、その前側部に入切兼用タイマースイッチ10、及び、LED 表示式の表示部11を有する操作部Ｂを設けており（図３参照）、好みの設定時間を選択して赤外線治療を行えるようにしている。このように把持部２に操作部Ｂを設けたことにより操作性が良好となっている。なお、B1は把持部２の内部に配設した操作部Ｂの制御部を有する取付基板であり、B2は同取付基板B1に接続するリード線、B3はリード線挿通用円弧状孔である。また、B4はリード線B2を被覆する絶縁用チューブであり、リード線B2を把持部２内に弧を大きくした状態で配設可能として断線及び断線によるショートを防止している。
【００３６】
さらに、把持部２は、その基端部に設けた枢支軸受部2aに、ヘッドケーシング１に形成した取付用枢支部1aに突設した枢軸1cを嵌合枢支して、図４に示すように折畳自在に取付けられている。
【００３７】
かかる把持部２の取付構成を説明すると、図４(b) に示すように、取付用枢支部1aの内部に多数の凸状係合体1dを円周方向に多数設ける一方、把持部２の枢支軸受部2aには、前記枢軸1cを嵌入可能で、かつ、外周面に前記凸状係合体1dと係合する突起21a,21a を形成したリング21を回動不能状態に取付けた筒体20を設けている。
【００３８】
したがって、把持部２を枢軸1c回りに回動させると、突起21a が凸状係合体1dを乗り越える際に使用者にクリック感を与えることができる。
【００３９】
そして、本実施例では、把持部２が完全に折り畳まれる位置（図４(b) ）に至る際に突起21a が乗り越えるべき凸状係合体1e,1e を他の係合体1dよりも突出長さを低くしてなだらかに形成し、使用者が把持部２を完全に折り畳む際に、勢いあまって把持部２とヘッドケーシング１との間に指などを挟まないようにしている。なお、図４中、22は枢支軸受部2aに切欠環状に突設した回動ガイド、1gは同回動ガイド22が周回した終点位置で端部に当接するように取付用枢支部1aに設けたストッパである。
【００４０】
上記構成の赤外線治療器Ａにおいて、本発明は、ファン８からの風が赤外線ヒータ４の背側中央部に直接当たらないように邪魔板６を配設したことに特徴がある。
【００４１】
本実施例では、赤外線ヒータ４を取付けるためにヘッドケーシング１内に配設した環状固定板17に前記邪魔板６を取付けている。
【００４２】
すなわち、図２、図３に示すように、環状固定板17は耐熱性を考慮して金属製としており、ヘッドケーシング１内に着脱自在に配設した筒状ユニットケーシングＥの前部開口に着脱自在に取付けている。そして、本体環状部17a の内周縁から中心に向けて３個の緩衝用突片９を片持ち支持状に突設している。90は緩衝用突片９に設けた取付孔であり、赤外線ヒータ４のねじ体41a を挿入固定可能としている。
【００４３】
かかる環状固定板17に、本発明の要部となる邪魔板６を取付けており、同邪魔板６は、図３、図６及び図７に示すように、前記環状固定板17よりも一回り小径に形成するとともに、本体部64から一側に折曲したＬ字状の脚部65を有し、同脚部65を前記緩衝用突片９に共締めして取付けている。
【００４４】
また、図５に示すように、邪魔板６の周縁近傍に通風部61を設け、図９に模式的に示すように、邪魔板６と赤外線ヒータ４とで仕切られる空間Ｑ内に負圧が発生することを防止している。
【００４５】
かかる通風部61は、わずかに通風可能なきわめて小さい孔を邪魔板６の周方向に複数個設けたもので、図５に示すように、その一部は前記脚部65の折曲部分の両端に形成され、また、その一部は後述する配線68の導入孔と兼用可能に形成されており、図６に示すように、邪魔板６の略全周にわたって形成されている。
【００４６】
したがって、ファン８からの風の一部は通風部61を通って空間Ｑ内における負圧の発生を防止し、ファン８からの大部分の風は、環状固定板17の内周縁と邪魔板６の外周縁との間に形成される間隙Ｄを通り、通風部68の作用によって内側に引き込まれることなく円滑に赤外線ヒータ４の周縁に向かって流れ、赤外線ヒータ４の背側中央部に直接当たることがない。
【００４７】
しかも、赤外線ヒータ４の周縁に向かって流れる風は、前述したように、赤外線プレート40を赤外線放射方向に向けて前面を凹状に湾曲形成しているので風のガイド機能を果たし（図２参照）、乱流を生じることなく円滑に患部に向けて流出することになる。
【００４８】
また、図５に示すように、環状固定板17を筒状ユニットケーシングＥに取付けた状態で、環状固定板17の内周縁部を筒状ユニットケーシングＥの内周縁よりも内側へはみ出してフランジ部17c を形成している。
【００４９】
同フランジ部17c により、ファン８からの送風のうち、ヘッドケーシング１の内周面に沿って補助ヒータ７の外部を通る加熱されていない冷風は進路を妨げられることになり、間隙Ｄを通って反射板５に沿って前端開口部12より流出することがない。さらに、同フランジ部17c の幅を変更することで、間隙Ｄの幅調整も容易に行える。
【００５０】
かかる構成としたことにより、十分昇温した赤外線ヒータ４をファン８からの風で冷却してしまうことがなく、遠赤外線の放射に支障を来さずに効果的な赤外線治療を行えるとともに、温風を患部に当てることで使用感を向上させることができる。
【００５１】
さらに、熱容量が大きく立ち上がりの悪い赤外線ヒータ４が十分昇温するまでは立ち上がりのよい補助ヒータ７の熱による温風を患部に送風することができるので使用感を向上させることができ、かつ、かかる温風が赤外線ヒータ４の周縁に当たって同赤外線ヒータ４の昇温を補助する機能を果たし、赤外線ヒータ４の立ち上がり時間を短縮させることができる。
【００５２】
また、邪魔板６がファン８からの風を遮るので、赤外線ヒータ４と補助ヒータ７との配設間隔を短くしても風が赤外線ヒータ４の背側中央部に当たることがなく、可及的にヒータ4,7 間の距離を短くして赤外線治療器Ａのコンパクト化を図ることができる。
【００５３】
しかも、本発明によれば、ファン８からの風が赤外線ヒータ４の背側中央部に直接当たらず周縁側に流れるので、赤外線ヒータ４の周縁部の温度上昇を抑制する作用がある。
【００５４】
すなわち、赤外線ヒータ４のニクロムヒータ線43a は、図１０に示すように、ヒータ基板43の周縁でヘアピン状に屈曲しているので、急激な温度変化が頻繁であれば、膨張収縮の繰り返しにより断線するおそれがあるが、ここでは、ニクロムヒータ線43a の屈曲部分となる赤外線ヒータ４の周縁部分の温度上昇が常に抑制されているので、上記した断線のおそれを可及的に防止しながら、かつ、十分な赤外線の放射を可能としている。
【００５５】
ところで、上記した通風部61に代えて、例えば、図１１(a) に示すように、邪魔板６の近傍にラッパ状の通気ガイドＧを配設して、ファン８からの風を赤外線ヒータ４の周縁部に導くようにすることもできる。なお、図１１(b) に示すように、通気ガイドＧを邪魔板６に連設してもよい。
【００５６】
また、邪魔板６の本体部64は、図３、図７及び図８に示すように、脚部65の取付部に対して補助ヒータ７側に膨出する膨出面62を形成しており、同膨出面62の内側凹状部内の略中央に、温度過昇防止手段、ここでは、温度ヒューズ63を取付けている。なお、66はステンレス等の金属製のヒューズ取付具、66a は取付ビスである。
【００５７】
温度ヒューズ63（温度過昇防止手段）の取付個所としては、前記内側凹状部内に限らず、その裏側面でもよいが、内側凹状部内に取付けたことにより、ヘッドケーシング１の狭い空間内であるにもかかわらず、温度ヒューズ63を必要以上に赤外線ヒータと近接させずにすみ、危険温度まで上昇しないうちに作動したりする不具合を防止することができる。
【００５８】
しかも、前記温度ヒューズ63を膨出面62の略中央に設けているので、赤外線治療器Ａのいかなる姿勢にかかわらず、確実に温度の過昇に反応して作動させることができる。
【００５９】
また、例えば、髪の毛の巻き付き等でファンモータ82がロック状態となったような場合、使用者が故障と勘違いして、図１２に示すように、本赤外線治療器Ａを床面などに無造作に載置した場合でも、熱の上昇流により昇温した邪魔板６を介して温度ヒューズ63には確実に伝熱される。したがって、邪魔板６からの伝熱によって適正に作動してヘッドケーシング１内の温度が異常上昇することを防止することができるのできわめて安全となる。なお、温度過昇防止手段として、上記温度ヒューズ63の他に、本実施例では、図２に示すように補助ヒータ７にサーモスタット69を設けている。
【００６０】
さらに、図２及び図５に示すように、邪魔板６の膨出面62をなす本体部64の外側凸状面には配線保持具67を取付け、配線68を邪魔板６の裏面で束ねた状態で保持している。かかる配線保持具67は、配線68を可及的に長手状に束ねることができるような幅に形成されている。
【００６１】
すなわち、図１３(a) に示すように、赤外線ヒータ４側と補助ヒータ７側とを接続する複数の配線68を邪魔板６の裏面で交差させ、その交差部分に配線保持具67を、赤外線治療器Ａの組付軸線に対して直交するように取付けて配線68を束ねている。したがって、図１３(b) に示すように、ヘッドケーシング１内に赤外線ヒータ４や補助ヒータ７を組付けた状態で、配線68が大きく補助ヒータ７側に撓むことを防止し、配線68が補助ヒータ７と接触しないようにしている。
【００６２】
かかる配線保持具67を設けたことにより、図１３(a) に示すように、配線68を比較的長めに取付けて製造行程における配線接続作業を容易に行えるとともに、組付時には、配線68が後方へ撓まないので補助ヒータ７と接触して過熱し焼損することを防止することができる。なお、本実施例では、図５に示すように、邪魔板６に形成した通風孔61を配線導入孔として利用しているので、配線68の位置決めを確実に行えるとともに、配線68の長さを必要以上に長くしないでもよい。
【００６３】
ここで、邪魔板６の周辺の構成についてさらに詳述する。
【００６４】
環状固定板17を取付ける筒状ユニットケーシングＥは、ガラス繊維入りの耐熱性の大きな合成樹脂で一体形成されており、図２、図３、図８に示すように、前側短筒部E1の後部開口の周縁に沿って、環状固定板受用周面E2を形成するとともに、同周面E2の前方に環状固定板17の厚みよりもわずかに大きな間隙を開けて環状固定板17を保持する挟持爪E3を内側に向けて突設している。そして、同挟持爪E3と前記環状固定板受用周面E2との間で、環状固定板17の本体環状部17a の外周縁に形成した係合凸片17b を重合状態に当接させるようにしている（図８）。
【００６５】
さらに、前側短筒部E1の後部外周に係合用フランジE4を形成し、ヘッドケーシング１を構成する一対の半割りケーシング1b,1b にそれぞれ形成したリブ1fに係合させて前後方向の位置規制をしている。
【００６６】
また、前記環状固定板受用周面E2の裏面には、遮熱ケーシング嵌合片E5を後方へ突出させて周方向に一定間隔をあけて設けており、前記補助ヒータ７を収納した遮熱ケーシング70の前端を嵌挿可能としている（図２）。
【００６７】
このように、筒状ユニットケーシングＥを介することによって、赤外線ヒータ４、補助ヒータ７及び同補助ヒータ７に連設したファン８までをコンパクトにユニット化することができ、このようにユニット化してヘッドケーシング１内に一体的に収納配設できるようにしたので、組立作業が容易となって製造工程の合理化が図れる。
【００６８】
しかも、反射板５は金属製なので、かかる耐熱性を有する合成樹脂製の筒状ユニットケーシングＥによって、金属製同士となる反射板５と前記環状固定板17及び遮熱ケーシング70とが分離されることになるのでそれぞれが確実に絶縁され、例えば、赤外線ヒータ４や補助ヒータ７が漏電したりしても外部から手が触れやすい反射板５には通電されず安全性が向上する。
【００６９】
また、環状固定板17の構成についてさらに説明を加えると、同環状固定板17に設けた緩衝用突片９は、図３に示すように、片持ち支持状に突設されて可撓性を付与されている。したがって、同緩衝用突片９の撓みによって、同緩衝用突片９に支持されている赤外線ヒータ４は衝撃緩衝作用を受け、例えばヘッドケーシング１に衝撃が加わった場合に、その衝撃が吸収されて赤外線ヒータ４に衝撃が直接伝わることがない。なお、本実施例では、緩衝機能をより向上させるために、前記緩衝用突片９の取付孔90にシリコン製の筒状の緩衝部材91を取付けている。
【００７０】
そして、かかる緩衝部材91によって、衝撃をより確実に吸収できるとともに、熱伝導率が低い素材であることから赤外線ヒータ４の熱がヘッドケーシング１や筒状ユニットケーシングＥ等のその他の部品に伝わることも防止できるようにし、さらには、絶縁性をより向上させている。
【００７１】
しかも、本実施例では、図３及び図５に示すように、緩衝用突片９に共締めされている邪魔板６の脚部65に、前記と同質の緩衝部材91を介して衝撃吸収方向規制片60を取付け、同規制片60に設けた係合片60a を外方向へ突出させ、図６に示すように、同係合片60a を前記筒状ユニットケーシングＥの前側短筒部E1の後部外周面に当接させて緩衝用突片９が前方（赤外線放射方向）に撓むことを規制している。
【００７２】
かかる構成とすることにより、赤外線ヒータ４への衝撃を緩和しながら、ヘッドケーシング１に加わる衝撃が前方に強く作用した際に、緩衝用突片９の弾性限界を越えた場合でも赤外線ヒータ４が前方に位置ずれしたりすることを防止している。
【００７３】
ところで、本実施例では、規制片60の係合片60a を筒状ユニットケーシングＥの前側短筒部E1の後部外周面に当接させているが、当接させることなくわずかな間隙を設けることもでき、かかる構成とすれば、衝撃が前方に作用しても緩衝機能が有効に作用し、かつ、赤外線ヒータ４が前方に過剰に位置ずれすることも防止することができる。
【００７４】
なお、上記した緩衝部材91としては、前記シリコンに代えて発泡シリコンを使用すればクッション性が向上し、熱伝導率もさらに低くなるので熱伝導の点においても優るものとなる。また、シリコンの他、例えば耐熱樹脂、碍子などを筒状に形成して使用してもよく、緩衝機能を果たすものであればその材質を限定するものではない。
【００７５】
次に、本実施例に係る赤外線治療器Ａのその他の構成について説明すると、図３及び図１４において、1hはヘッドケーシング１の温度上昇を防止するめに半割りケーシング1bにそれぞれ設けたリブである。
【００７６】
同リブ1hにより、ヘッドケーシング１と補助ヒータ７を収納した金属製の遮熱ケーシング70との間に形成される環状空間Q1を２分割し、熱を分散させて熱のこもりやすい上側の環状空間Q1内に熱が集中することを防止し、ヘッドケーシング１の過度の温度上昇を防止している。
【００７７】
本実施例は、上記構成となっており、以下、図１５に示す回路ブロック図を参照しながらその作動について説明する。
【００７８】
入切兼用タイマースイッチ10をＯＮすると、制御部内においてタイマーが作動し、表示部11の表示ランプが全て点灯し、最適な治療時間と考えられる20分の表示を行う。51は入切兼用タイマースイッチ10の操作回数により本赤外線治療器Ａの作動時間を選択するカウンターである。
【００７９】
そして、スイッチＯＮと同時に制御部により入切スイッチ52が接続されて赤外線ヒータ４及び補助ヒータ７、さらに、ファンモータ82に通電され、ファン８の回転により補助ヒータ７から略50℃の温風が送風され、赤外線ヒータ４の昇温を促しつつ、赤外線治療器Ａの立ち上がり直後から温風を患部に向けて送るようにしている。しかも、ヒータ線7aの存在しない補助ヒータ７の中央部を通る冷風は邪魔板６を配設したことにより直接患部に向けて流出することがなく、温風と混合されて患部に当たるので冷風による不快感を与えることがない。
【００８０】
その後、赤外線ヒータ４が遠赤外線を放射するに十分な250 ℃以上の温度まで昇温し、遠赤外線による患部治療が開始される。
【００８１】
赤外線ヒータ４の作動中、ファン８からの風は患部に当たり使用感を向上させるとともに、同風は前述したように邪魔板６により赤外線ヒータ４の背側中央部に直接当たることがないので、同赤外線ヒータ４は250 ℃以上の適温を維持することが可能となり、遠赤外線の放射を妨げることなく治療効果も損なうことがない。
【００８２】
そして、５分経過する毎に表示部11の点灯数が減るように制御して時間の経過を容易に認識可能とするとともに、所定の20分が経過すると、制御部は表示部11の全てを消灯し、かつ、入切スイッチ52を切断して電源を切る。
以上説明してきたように、本実施例に係る赤外線治療器Ａでは、邪魔板６を配設してファン８からの風が赤外線ヒータ４の背側中央部に直接当たらないようにしているので、患部へ温風を当てることで使用感を高めながら、かかる風により赤外線ヒータ４を冷却することを防止して、効果的な遠赤外線治療を行うことができる。
【００８３】
なお、上記した実施例においては、ヘッドケーシング１とスタンド３とを別体としたもので説明したが、両者を一体的に連設した据え置きタイプのものであってもよい。
【００８４】
【発明の効果】
以上説明してきたように、本発明では以下の効果を奏する。
【００８５】
（１）前端開口のヘッドケーシング内に、前側から順に、赤外線ヒータと、補助ヒータと、ファンとを配設し、前記補助ヒータを、ヒータ基板にヒータ線を巻回して構成するとともに、前記ファンからの風が赤外線ヒータの背側中央部に直接当たらないように、前記赤外線ヒータと補助ヒータとの間に邪魔板を配設したことにより、患部へ温風を当てることで使用感を高めながら、かかる風により赤外線ヒータを冷却することを防止して、十分な遠赤外線放射量を確保し、効果的な遠赤外線治療を行うことができる。しかも、赤外線ヒータ４ニクロムヒータ線はヒータ基板の周縁でヘアピン状に屈曲しているので、急激な温度変化が頻繁であれば、膨張収縮の繰り返しにより断線するおそれがあるが、ここでは、赤外線ヒータの周縁部分の温度上昇が常に抑制されるので、上記した断線のおそれを可及的に防止しながら、かつ、十分な赤外線の放射が可能となる。
【００８６】
また、補助ヒータとファンとの配設間隔を可及的に短くできるとともに、赤外線ヒータと補助ヒータとの配設間隔も短くできるので、ヘッドケーシング内のレイアウトをコンパクト化することができ、全体の小型化を図ることができる。
【００８７】
しかも、熱容量が大きく立ち上がりの悪い赤外線ヒータが十分昇温するまでは立ち上がりのよい補助ヒータの熱による温風を患部に送風することができるので使用感を向上させることができる。
【００８８】
（２）前記邪魔板の周縁近傍に通風部を設け、邪魔板と赤外線ヒータとで仕切られる空間内に負圧が発生することを防止して、ファンからの風を赤外線ヒータの周縁に誘導可能としたことにより、ファンからの風は、環状固定板の内周縁と邪魔板の外周縁との間に形成される間隙を通り、中央側に引き込まれることなく円滑に赤外線ヒータの周縁に向かうことになり、前記（１）の効果をより高めることができるとともに、赤外線ヒータの立ち上がり時には、補助ヒータによる温風を赤外線ヒータの周縁に当てることにより昇温の補助機能を果たすことができるので赤外線ヒータの立ち上がり時間の短縮を図ることができる。
【００８９】
（３）前記邪魔板に温度過昇防止手段を取付けたことにより、作動中の赤外線治療器がいかなる姿勢で放置されようとも、昇温した邪魔板の熱が温度過昇防止手段に伝わり設定温度で確実に作動するので火災などの事故を防止することができる。
【００９０】
（４）前記邪魔板の補助ヒータ側をなす面に配線保持具を取付けたことにより、配線を比較的長めに取付けて製造行程における配線接続作業を容易に行え、かつ、配線保持具で配線を束ねることができるのでに、組付時には、配線が後方へ撓むことがなく、補助ヒータと接触して過熱し焼損することを防止できる。
【図面の簡単な説明】
【図１】本発明に係る赤外線治療器の側面図である。
【図２】治療器本体の断面図である。
【図３】同赤外線治療器の分解斜視図である。
【図４】把持部の説明図である。
【図５】環状固定板に邪魔板を取付けた状態を示す説明図である。
【図６】通風部の模式的説明図である。
【図７】図５のＩ−Ｉ線における要部の拡大断面図である。
【図８】図５のＩＩ−ＩＩ線における要部の拡大断面図である。
【図９】ファンからの風の流れを示す説明図である。
【図１０】ニクロムヒータ線の説明図である。
【図１１】本実施例の変形例を示す説明図である。
【図１２】本発明に係る赤外線治療器を載置した状態を示す説明図である。
【図１３】配線保持具の説明図である。
【図１４】ヘッドケーシングに設けたリブの説明図である。
【図１５】本発明に係る赤外線治療器の回路ブロック図である。
【符号の説明】
Ａ  赤外線治療器
１  ヘッドケーシング
４  赤外線ヒータ
６  邪魔板
７  補助ヒータ
7a  ヒータ線
８  ファン
17  環状固定板
61  通風部
67  配線保持具
71  ヒータ基板
【図１】
0003795592.tif 000002
【図２】
0003795592.tif 000003
【図３】
0003795592.tif 000004
【図４】
0003795592.tif 000005
【図５】
0003795592.tif 000006
【図６】
0003795592.tif 000007
【図７】
0003795592.tif 000008
【図８】
0003795592.tif 000009
【図９】
0003795592.tif 000010
【図１０】
0003795592.tif 000011
【図１１】
0003795592.tif 000012
【図１２】
0003795592.tif 000013
【図１３】
0003795592.tif 000014
【図１４】
0003795592.tif 000015
【図１５】
0003795592.tif 000016